(57)【要約】【課題】  移動するときには、椅子がテーブルや物置棚などの他の家具に傷つけないこと。【解決手段】  ローラ台に支持チューブを取付けて、支持チューブに足踏みホイル４を取付けて、支持チューブの上端に座当を取付けて構成された椅子の構造において、足踏みホイル４に連結具７が固定してあり、足踏みホイル４の周縁を連接具６がカバーし、前記連接具６の周壁に衝突防止用マッド８を設ける。【選択図】図５
0003113201.tif 000002
【実用新案登録請求の範囲】
【請求項１】
ローラ台に支持チューブを取付けて、前記支持チューブに足踏みホイルを取付けて、前記支持チューブの上端に座当を取付けて構成された椅子の構造において、
前記足踏みホイルには連接具が固定してあり、
前記連接具が足踏みホイルの周縁をカバーし、
前記連接具の周壁には固定ユニットが設けてあり、
前記固定ユニットは衝突防止用マッドに設けた固定ユニットに対応して結合することを特徴とする、
椅子の構造。
【請求項２】
前記足踏みホイルの内側の端面にはピンが複数に設けてあり、前記ピンの中心に貫通孔が開設してあり、前記貫通孔は連接具の端面に設けた貫通孔に対応し、連接具が足踏みホイルの下から足踏みホイルをカバーするときに、連接具に設けた貫通孔をピンに設けた貫通孔に合わせて、締結具によって両者を結合して、連接具を足踏みホイルに固定することを特徴とする、請求項１に記載の椅子の構造。
【請求項３】
前記連接具の設け固定ユニットとする嵌め穴は、衝突防止用マッドに設け固定ユニットとする嵌めブロックと嵌合することを特徴とする、請求項１に記載の椅子の構造。
【請求項４】
前記衝突防止用マッドは、樹脂発泡材料で作製されたものであることを特徴とする、請求項１に記載の椅子の構造。
【考案の詳細な説明】
【技術分野】
【０００１】
本考案は、椅子の構造に係り、特に、椅子の足踏みホイルの周壁に衝突防止用マッドをカバーする設計により、移動するときには、椅子がテーブルや物置棚などの他の家具に傷つけない椅子の構造に関するものである。
【背景技術】
【０００２】
国民の生活レベルの向上に従って、国民の商品質感に対する要求がどんどん厳しくなる。だが、従来の椅子については、椅子メーカは椅子の座り快適性と造形とだけを重視し、周辺の家具に傷つける可能性についての関心は特にていない。図１に示すのは従来の椅子１であり、これは、ローラ台１１に支持チューブ１２を取付けて、前記支持チューブ１２に足踏みホイル１３を取付けて、前記支持チューブ１２の上端に座当１４を取付けて構成されたものである。
【考案の開示】
【考案が解決しようとする課題】
【０００３】
しかしながら、前記した椅子１の足踏みホイル１３は、使用者の足踏みの便利性を良くするために、足踏みホイル１３が外側へ突出している。そのため、椅子を移動するときに、前記足踏みホイル１３がテーブルなどの他の家具に衝突して他の家具を傷つけることがよくあった。
【課題を解決するための手段】
【０００４】
上記欠点を解決するためになされた本願の第１考案は、ローラ台に支持チューブを取付けて、前記支持チューブに足踏みホイルを取付けて、前記支持チューブの上端に座当を取付けて構成された椅子の構造において、前記足踏みホイルには連接具が固定してあり、前記連接具が足踏みホイルの周縁をカバーし、また、前記連接具の周壁には固定ユニットが設けてあり、前記固定ユニットは衝突防止用マッドに設けた固定ユニットに対応して結合することを特徴とする椅子の構造であることを要旨としている。
【０００５】
本願の第２考案では、前記足踏みホイルの内側の端面にはピンが複数に設けてあり、前記ピンの中心に貫通孔が開設してあり、前記貫通孔は連接具の端面に設けた貫通孔に対応し、連接具が足踏みホイルの下から足踏みホイルをカバーするときに、連接具に設けた貫通孔をピンに設けた貫通孔に合わせて、締結具によって両者を結合すると、連接具が足踏みホイルに固定されたことを特徴とする請求項１に記載の椅子の構造であることを要旨としている。
【０００６】
本願の第３考案では、前記連接具の設け固定ユニットとする嵌め穴は、衝突防止用マッドに設け固定ユニットとする嵌めブロックと嵌合することを特徴とする請求項１に記載の椅子の構造であることを要旨としている。
【０００７】
本願の第４考案では、前記衝突防止用マッドは、樹脂発泡材料で作製されたものであることを特徴とする請求項１に記載の椅子の構造であることを要旨としている。
【考案の効果】
【０００８】
本考案に係る椅子の構造によれば、椅子の足踏みホイルの周壁に衝突防止用マッドをカバーする設計により、椅子が移動するときには、テーブルや物置棚などの他の家具に傷つけない。
【考案を実施するための最良の形態】
【０００９】
以下に添付した図面を参照して本考案の好適な実施の形態を詳細に説明する。
【００１０】
まず、図２乃至図４に示すのは本考案に係る椅子の構造であり、これは、ローラ台２に支持チューブ３を取付けて、前記支持チューブ３に足踏みホイル４を取付けて、前記支持チューブ３の上端に座当５を取付けて構成されたものである。
【００１１】
前記足踏みホイル４は、中空であり、その内側の端面にはピン４１が複数に設けてあり、前記ピン４１の中心に貫通孔４１１が開設してある。さらに足踏みホイル４の下開口をカバーするための連接具６が設けてあり、連接具６が足踏みホイル４の下から足踏みホイル４をカバーするときに、連接具６に設けた貫通孔６１をピン４１に設けた貫通孔４１１に合わせて、締結具７によって両者を結合すると、連接具６が足踏みホイル４に固定される。前記連接具６の周壁には固定ユニット６２が複数に設けてある。前記固定ユニット６２は嵌め穴６２であってもよい。また、樹脂発泡材料で作製された衝突防止用マッド８が設けてある。前記衝突防止用マッド８は、連接具６の外周壁をカバーし、その内壁面に固定ユニット８１が設けてあり、前記固定ユニット８１は嵌めブロックであってもよい。前記固定ユニット６２は衝突防止用マッド８に設けた固定ユニット８１に対応して結合する。
【００１２】
実際の組付作業は、図５と図６に示すように、足踏みホイル４の底側と外周壁に連接具６をカバーし、足踏みホイル４のピン４１に設けた貫通孔４１１に連接具６の貫通孔６１を合わせて、締結具７によって両者を結合すると、連接具６が足踏みホイル４に固定される。また、連接具６の底側と外周壁に衝突防止用マッド８をカバーし、且つ連接具６の固定ユニット６２に衝突防止用マッド８に設けた固定ユニット８１を合わせて結合すると、衝突防止用マッド８が連接具６の底側と外周壁をカバーする。これにより、移動するときには、椅子がテーブルや物置棚などの他の家具に傷つけない。
【図面の簡単な説明】
【００１３】
【図１】従来の椅子の全体の側面図である。
【図２】本考案に係る椅子の全体の側面図である。
【図３】本考案に係る足踏みホイルの分解斜視図である。
【図４】本考案に係る足踏みホイルの分解斜視図である。
【図５】本考案に係る足踏みホイルの組合状態の断面図である。
【図６】本考案に係る足踏みホイルの組合状態の平面図である。
【符号の説明】
【００１４】
（従来の部分）
１        椅子                    １１      ローラ台
１２      支持チューブ            １３      足踏みホイル
１４      座当
（本考案の部分）
２        ローラ台                ３        支持チューブ
４        足踏みホイル            ４１      ピン
４１１    貫通孔                  ５        座当
６        連接具                  ６１      貫通孔
６２      固定ユニット            ７        締結具
８        衝突防止用マッド        ８１      固定ユニット
【図１】
0003113201.tif 000003
【図２】
0003113201.tif 000004
【図３】
0003113201.tif 000005
【図４】
0003113201.tif 000006
【図５】
0003113201.tif 000007
【図６】
0003113201.tif 000008